(57)【特許請求の範囲】
【請求項１】
リモコン装置と前記リモコン装置から出力された光による制御信号を受光する受光部とを有するテレビ受像機に画像を出力する画像出力装置において、
アンテナで受信したテレビ放送信号から選択されているチャンネルで放送されている番組の映像信号及び音声信号を抽出する受信部と、
前記受信部で抽出された前記映像信号及び前記音声信号をデコードするデコーダと、
前記デコーダでデコードされた前記映像信号を前記テレビ受像機に出力する出力部と、
前記表示装置の前記受光部に対向し、発光面以外の部分を覆う遮蔽部材が設けられた発光部と、
前記テレビ受像機のリモコン装置から出力された前記制御信号を受光する受光部と、
前記テレビ受像機の型番毎に、制御コードと処理内容とを対応付けているテーブルを記憶した記憶部と、
前記テレビ受像機の型番の設定を受け付ける受付手段と、
前記受付手段で設定された前記テレビ受像機の型番に対応するテーブルを前記記憶部から読み出し、このテーブルにおける今回前記受光部で受光した前記制御信号に合致する制御コードの処理内容に基づいて、今回前記受光部で受光した前記制御信号が前記テレビ受像機で行う処理にかかる制御信号であるか本体装置で行う処理にかかる制御信号であるかを判定する判定部と、を備え、
前記出力部は、前記判定部によって今回受光した前記制御信号が前記テレビ受像機で行う処理にかかる制御信号であると判定された際、今回受光した前記制御信号に基づいて前記発光部を発光させ、
前記判定部は、前記判定部によって今回受光した前記制御信号が本体装置で行う処理にかかる制御信号であると判定された際、今回受光した前記制御信号に基づいて本体装置を制御することを特徴とする画像出力装置。
【請求項２】
リモコン装置と前記リモコン装置から出力された光による制御信号を受光する受光部とを有する表示装置に画像を出力する画像出力装置において、
アンテナで受信したテレビ放送信号から選択されているチャンネルで放送されている番組の映像信号及び音声信号を抽出する受信部と、
前記受信部で抽出された前記映像信号及び前記音声信号をデコードするデコーダと、
前記デコーダでデコードされた前記映像信号を前記表示装置に出力する出力部と、
前記表示装置の前記受光部に対向する発光部と、
前記表示装置の前記リモコン装置から出力された前記制御信号を受光する受光部と、
前記表示装置の型番毎に、制御コードと処理内容とを対応付けているテーブルを記憶する記憶部と、
前記表示装置の型番の設定を受け付ける受付手段と、
前記受付手段で設定された前記表示装置の型番に対応するテーブルを前記記憶部から読み出し、このテーブルにおける今回前記受光部で受光した前記制御信号に合致する制御コードの処理内容に基づいて、今回前記受光部で受光した前記制御信号が前記表示装置で行う処理にかかる制御信号であるか本体装置で行う処理にかかる制御信号であるかを判定する判定部と、を備え、
前記出力部は、前記判定部によって今回受光した前記制御信号が前記表示装置で行う処理にかかる制御信号であると判定された際、今回受光した前記制御信号に基づいて前記発光部を発光させ、
前記判定部は、前記判定部によって今回受光した前記制御信号が本体装置で行う処理にかかる制御信号であると判定された際、今回受光した前記制御信号に基づいて本体装置を制御することを特徴とする画像出力装置。
【請求項３】
前記発光部は、発光面以外の部分を覆う遮蔽部材が設けられていることを特徴とする請求項２に記載の画像出力装置。
【請求項４】
前記各テーブルは、前記制御コードと前記処理内容と本体装置内で用いられる処理内容を示す装置用コードとを対応付けており、
前記判定部は、前記判定部によって今回受光した前記制御信号が前記画像出力装置で行う処理にかかる制御信号であると判定された際、今回受光した前記制御信号に対応する装置用コードに基づいて本体装置を制御することを特徴とする請求項２または３に記載の画像出力装置。
【発明の詳細な説明】
【技術分野】
【０００１】
この発明は、ＳＴＢ（Set Top Box ）等の画像を表示装置に出力する画像出力装置に関する。
【背景技術】
【０００２】
画像出力装置であるＳＴＢは、放送されている番組を受信してテレビ受像機に出力する。また、ＳＴＢは、ＳＴＢのリモコン装置から出力された番組のチャンネル変更等の制御信号を受信し、制御信号に応じた制御を行う。
【０００３】
一方、テレビ受像機においても、テレビ受像機のリモコン装置から出力された音量変更等の制御信号を受信し、制御信号に応じた制御を行う。したがって、ＳＴＢ及びテレビ受像機を操作するために２つのリモコン装置を用いなければならなず、ユーザにとっては操作が面倒となり、負担がかかっていた。
【０００４】
そこで、１つのリモコン装置で各装置の制御信号を出力すべくＳＴＢとテレビ受像機とをシリアルパスで接続し、ユーザがテレビ受像機のリモコン装置を操作すると、制御信号を受信したテレビ受像機がシリアルパスを介してこの制御信号をＳＴＢに出力する構成のものがある（例えば、特許文献１参照。）。また、ＳＴＢのリモコン装置を操作してテレビ受像機を制御する構成のものもある。
【０００５】
さらに、汎用のリモコン装置を用いて装置固有の機能操作を簡単かつ統一的に行うべく、表示装置に各装置固有のリモコン装置のイメージを表示させ、このリモコン装置を用いてイメージ上で操作指示を選択する構成のものもある（例えば、特許文献２参照。）。
【特許文献１】特開２００３−３２５０８号公報
【特許文献２】特開２００１−２２４０７９号公報
【発明の開示】
【発明が解決しようとする課題】
【０００６】
しかしながら、特許文献１等に記載されたＳＴＢとテレビ受像機とをシリアルパスで接続した構成では、テレビ受像機及びＳＴＢにシリアルパスを接続する出力部及び入力部を設けなければならず、コストアップしてしまう。また、先にテレビ受像機を購入した場合、ユーザは将来的にＳＴＢを接続することを考慮してシリアルパスを接続できるテレビ受像機を購入することは少ないので、購入したのがシリアルパスを接続する出力部が設けられたテレビ受像機でないとすると、その後購入したＳＴＢがシリアルパスを接続できてもテレビ受像機のリモコン装置でＳＴＢを制御することはできず、各装置固有のリモコン装置を使用しなければならない。
【０００７】
また、特許文献２に記載された汎用のリモコン装置を用いる構成やＳＴＢのリモコン装置を用いる構成では、１のリモコン装置で各装置を制御できるが、ユーザとしては普段から使い慣れているテレビ受像機のリモコン装置を使用したいと考える。通常はＳＴＢよりも先にテレビ受像機を購入するものであり、テレビ受像機のリモコン装置の方を使用している期間が長いからである。
【０００８】
この発明の目的は、表示装置側の構成を変えることなく、表示装置のリモコン装置のみを用いた単純な構成で表示装置及び本体装置を制御することができ、ユーザの負担を軽減することができる画像出力装置を提供することにある。
【課題を解決するための手段】
【０００９】
この発明は、上記課題を解決するために以下の構成を備えている。
【００１０】
（１）リモコン装置と前記リモコン装置から出力された光による制御信号を受光する受光部とを有する表示装置に画像を出力する画像出力装置において、
アンテナで受信したテレビ放送信号から選択されているチャンネルで放送されている番組の映像信号及び音声信号を抽出する受信部と、
前記受信部で抽出された前記映像信号及び前記音声信号をデコードするデコーダと、
前記デコーダでデコードされた前記映像信号を前記表示装置に出力する出力部と、
前記表示装置の前記受光部に対向する発光部と、
前記表示装置の前記リモコン装置から出力された前記制御信号を受光する受光部と、
前記表示装置の型番毎に、制御コードと処理内容とを対応付けているテーブルを記憶する記憶部と、
前記表示装置の型番の設定を受け付ける受付手段と、
前記受付手段で設定された前記表示装置の型番に対応するテーブルを前記記憶部から読み出し、このテーブルにおける今回前記受光部で受光した前記制御信号に合致する制御コードの処理内容に基づいて、今回前記受光部で受光した前記制御信号が前記表示装置で行う処理にかかる制御信号であるか本体装置で行う処理にかかる制御信号であるかを判定する判定部と、を備え、
前記出力部は、前記判定部によって今回受光した前記制御信号が前記表示装置で行う処理にかかる制御信号であると判定された際、今回受光した前記制御信号に基づいて前記発光部を発光させ、
前記判定部は、前記判定部によって今回受光した前記制御信号が本体装置で行う処理にかかる制御信号であると判定された際、今回受光した前記制御信号に基づいて本体装置を制御することを特徴とする。
【００１１】
この構成においては、判定部によって表示装置のリモコン装置から出力された制御信号が、表示装置で行う処理にかかる制御信号であるか本体装置で行う処理にかかる制御信号であるかが判定される。また、受光した制御信号が表示装置で行う処理にかかる制御信号であると判定された際は、この制御信号が発光部から発光（出力）される。そのため、例えば発光部から発光された制御信号が、表示装置に備えられたリモコン装置の制御信号の受光部に受光されると、表示装置が受光した制御信号に応じた制御を行う。また、受講した制御信号が本体装置で行う処理にかかる制御信号であると判定された際は、制御信号に基づいて本体装置が処理を行う。
【００１２】
したがって、表示装置側の構成を変えることなく、表示装置のリモコン装置のみを用いた単純な構成で表示装置及び本体装置を制御することができ、ユーザの負担を軽減することができる。
また、この構成においては、設定されている表示装置の型番のテーブルが記憶部から読み出され、このテーブルにある制御コードうち、今回受信した制御信号に合致する制御コードの処理内容から表示装置で行う処理にかかる制御信号であるか本体装置にかかる制御信号であるかが判定される。したがって、単純な構成で使用する表示装置のリモコン装置に応じた制御コードのテーブルを参照することができ、また判定も容易に行うことができる。
【００１３】
（２）前記発光部は、発光面以外の部分を覆う遮蔽部材が設けられていることを特徴とする。
【００１４】
この構成においては、遮蔽部材によって発光部の発光面以外の部分が遮蔽されている。そのため、例えば発光部を表示装置に備えられたリモコン装置の制御信号の受光部に接触または近接して配置した場合、表示装置が発光部以外からの制御信号を受光するのを防止することができる。これにより、表示装置がリモコン装置および発光部から二重に同一の制御信号を受光することを防止できる。
【発明の効果】
【００１７】
この発明によれば、表示装置側の構成を変えることなく、表示装置のリモコン装置のみを用いた単純な構成で表示装置及び本体装置を制御することができ、ユーザの負担を軽減することができる。
【発明を実施するための最良の形態】
【００１８】
以下、この発明の実施形態に係る画像出力装置を適用したＳＴＢについて説明する。
【００１９】
図１は、この発明の実施形態であるＳＴＢの外観及びＳＴＢに接続されるテレビ受像機の外観を示す外観図である。図２は、この発明の実施形態であるＳＴＢの主要部の構成を示すブロック図である。
【００２０】
ＳＴＢ１は、ディジタル放送の番組を受信してテレビ受像機２０に出力する画像出力装置である。ＳＴＢ１は、本体装置の動作を制御する制御部２と、アンテナ１１で受信したテレビ放送信号から選択されているチャンネルで放送されている番組の映像信号および音声信号を抽出する受信部３と、受信部３で抽出された映像信号および音声信号をデコードするデコーダ４と、ＯＳＤ画像を記憶したＯＳＤ画像メモリ５と、を備えている。
【００２１】
また、ＳＴＢ１は、デコーダ４でデコードされた映像信号に基く番組の映像にＯＳＤ画像を重ね合わせた合成映像を生成する合成映像生成部６と、デコーダ４でデコードされた音声信号を出力する音声出力部７と、番組の映像または合成映像を出力する映像出力部８と、入力操作を行う操作部９と、複数の制御コードテーブル等の各種設定値を記憶している記憶部１０と、を備えている。
【００２２】
さらに、ＳＴＢ１は、テレビ受像機２０に備えられたリモコン装置２１から発光された赤外線の制御信号を受光する受光部１２と、制御信号を出力する制御信号出力部１３と、制御信号出力部１３から出力された制御信号の赤外線を発光するＡＶマウス（本発明の発光部に相当する。）１４と、を備えている。
【００２３】
ＯＳＤ画像メモリ５には、ＯＳＤ画像データが記憶されている。操作部９は、ユーザからテレビ受像機２０の型番の設定も受け付ける。受光部１２は、受光した制御信号を制御部２に送信する。制御部２は、送信された制御信号がテレビ受像機２０で行う処理であるか本体装置で行われる処理であるかを判定し、テレビ受像機２０であると判定した際は制御信号出力部１３に制御信号を出力させる。一方、本体装置で行う処理であると判定した場合は制御信号に基づく処理を実行する。詳細は後述する。なお、制御信号出力部１３は、本発明の出力部に相当する。
【００２４】
ＡＶマウス１４は、ケーブル１４ａを介して本体装置に接続され、また発光面がテレビ受像機２０が有する受光部２２に接着されている。テレビ受像機２０の受光部２２は、発光部２２が発光した制御信号を受光する。テレビ受像機２０は、受光した制御信号に応じて制御を行う。
【００２５】
図３（Ａ）は、接続されたテレビ受像機２０の型番を設定する際の選択画面を示す説明図である。図３（Ｂ）は、制御コードテーブルの構成を示す説明図である。
【００２６】
ユーザは、操作部９を操作して図３（Ａ）に示す選択画面上のカーソルを上下左右に移動させて使用するテレビ受像機２０の型番を選択し、決定（設定）を行う。この決定により、記憶部１０に決定されたテレビ受像機２０の型番を記憶する。
【００２７】
制御部２は、受光部１２から制御信号を受信した際、記憶部１０に記憶されている設定されたテレビ受像機２０の型番を読み出し、複数の制御コードテーブルのうちこの型番に対応する制御コードテーブルを読み出す。各制御コードテーブルは、各メーカの各テレビ受像機の型番に対応付けられている。なお、制御コードテーブルは、本発明のテーブルに相当する。
【００２８】
制御コードテーブルは、図３（Ｂ）に示すように制御コード及び装置用コードが対応付けられている。制御コードは、図３（Ｂ）に示す左欄の処理（制御）内容を示している。装置用コードは、本体装置内で共通に用いられる処理内容を示す制御用のコードである。制御部２は、この制御コードテーブルを用いて受信した制御コードを装置用コードに変換する。
【００２９】
また、制御部２は、変換した装置用コードから受信した制御信号が、テレビ受像機２０で行う処理であるか本体装置で行う処理であるかを判定する。具体的には、変換した装置用コードの値が０ｘ００であるか否かによって判定する。
【００３０】
例えば、受信した制御信号が図３（Ｂ）に示す音量ＵＰ（０ｘ００）の処理内容であった場合、装置用コードは０ｘ００であるのでテレビ受像機２０で行う処理であると判定する。一方、受信した制御信号がチャンネルＵＰ（０ｘ０２）であった場合、装置用コードは０ｘ０１であるので本体装置で行う処理であると判定する。
【００３１】
制御部２は、受信した制御信号がテレビ受像機２０で行う処理であると判定した場合、受信した制御信号を制御信号出力部１３に送信する。その後、制御信号出力部１３がＡＶマウス１４に制御信号の赤外線を発光させる。これにより、テレビ受像機２０で行う処理がテレビ受像機２０で行われる。一方、受信した制御信号が本体装置で行う処理であると判定した場合、制御部２は、装置用コードに基づいて処理を開始する。したがって、制御部２は、本発明の判定部に相当する。
【００３２】
これによって、テレビ受像機２０側の構成を変えることなく、テレビ受像機のリモコン装置のみを用いた単純な構成でテレビ受像機２０及び本体装置を制御することができ、ユーザの負担を軽減することができる。また、テレビ受像機２０は、既存のリモコン装置２１の受光部２２を利用しているのみで構成が変わらないので、コストアップを抑制することができる。
【００３３】
なお、受光した制御信号がテレビ受像機２０で行う処理であるか本体装置で行う処理であるかを択一的に判定しているが、テレビ受像機２０および本体装置の両方で実行する判定も含まれる。例えば、両方で行う処理を示す装置用コードを０ｘＦ０以降の値とする。図３（Ｂ）に示すように、電源ＯＮ／ＯＦＦの制御コード（０ｘ０４／０ｘ０５）を受光した際、装置用コードが０ｘＦ０／０ｘＦ１であるので、制御部２はテレビ受像機２０および本体装置の両方で行う処理であると判定する。その後、制御部２は、制御信号出力部１３に制御信号を送信し、また装置用コードに基づいて処理を開始する。
【００３４】
図４（Ａ），（Ｂ）は、ＡＶマウス１４の接着状態を示す拡大図である。図４（Ａ）は外観図、図４（Ｂ）は上面断面図である。テレビ受像機２０の受光部２２に接着されているＡＶマウス１４は、発光面以外の周辺が遮蔽部材３０で覆われている。遮蔽部材３０は、ＡＶマウス１４以外の制御信号が入射しないようにテレビ受像機２０の受光部２２全体を覆うことができる大きさである。遮蔽部材３０は、赤外線が透過しない部材であればよく、例えば黒色のプラスチックで構成されたカバーがあり、また黒色のビニルテープ、シール部材等でもよい。なお、遮蔽部材３０としては、ビニールテープやシール部材を用いた方が貼付するだけでよいので好ましい。
【００３５】
これによって、テレビ受像機２０の受光部２２がリモコン装置２１およびＡＶマウス１４から二重に同一の制御信号を受光することを防止することができる。
【００３６】
なお、本実施形態では、ＳＴＢ１について説明したがＤＶＤ再生装置等の画像出力装置についても適用可能である。また、ディジタル放送の番組に限らずアナログ放送の番組を受信するＳＴＢでも適用可能である。
【図面の簡単な説明】
【００３７】
【図１】この発明の実施形態に係るＳＴＢの外観及びＳＴＢに接続されるテレビ受像機の外観を示す外観図である。
【図２】同ＳＴＢの主要部の構成を示すブロック図である。
【図３】同ＳＴＢに接続されたテレビ受像機の型番を設定する際の選択画面を示す説明図および制御コードが記録されている制御コードテーブルの構成を示す説明図である。
【図４】同ＳＴＢに備えられるＡＶマウスの接着状態を示す拡大図である。
【符号の説明】
【００３８】
１−ＳＴＢ
２−制御部
９−操作部
１０−記憶部
１２−受光部
１３−制御信号出力部
１４−ＡＶマウス
２０−テレビ受像機
２１−リモコン装置
２２−受光部
【図１】
0004815987.tif 000002
【図２】
0004815987.tif 000003
【図３】
0004815987.tif 000004
【図４】
0004815987.tif 000005